(57)【特許請求の範囲】
【請求項１】
移動可能なキャリッジ（12）をフレーム（38）内に固定するための輸送ロック装置（10）であって、前記キャリッジ（12）が、当該キャリッジ（12）内で後退位置（50）と前進位置（75）との間で移動可能なサムアセンブリ（28）を有し、このサムアセンブリ（28）が、前記後退位置においてデータカートリッジを保持可能であり、前記前進位置において該データカートリッジを係合及び解除可能であるものにおいて、
ロック位置（32）とアンロック位置（34）との間で移動可能なように、前記キャリッジ（12）に取付けられているロック部材（30）であって、前記サムアセンブリ（28）が前記後退位置（50）に移動する際に、前記サムアセンブリ（28）が当該ロック部材（30）と係合し、それによって前記サムアセンブリ（28）が前記後退位置（50）に移動すると、前記アンロック位置（34）に移動するロック部材（30）と、
フレーム（38）に設けられ、前記キャリッジ（12）が収容位置（52）にある時、及び前記ロック部材（30）が前記ロック位置（32）に配置されている時に、前記ロック部材（30）に係合するように寸法が決められているみぞ穴（36）と
を具備する輸送ロック装置。
【請求項２】
前記ロック部材（30）と協働して、前記ロック部材（30）を前記ロック位置（32）に付勢するバイアス部材（67）をさらに具備する、請求項１記載の輸送ロック装置。
【請求項３】
前記バイアス部材（67）がばねからなる、請求項２記載の輸送ロック装置。
【請求項４】
前記ロック部材（30）が、
前記キャリッジ（12）に摺動可能に取付けられているスライダ部（51）と、
前記スライダ部（51）に取付けられているピン部（53）と
をさらに具備する、請求項１〜３のいずれか１項記載の輸送ロック装置。
【請求項５】
前記ピン部（53）が拡大ヘッド部（46）を含み、前記キャリッジ（12）が前記収容位置（52）にある時、及び前記ロック部材（30）が前記ロック位置（32）にある時、前記ロック部材（30）の前記ピン部（53）及び前記拡大ヘッド部（46）が前記フレーム（38）のみぞ穴（36）と係合する、請求項４記載の輸送ロック装置。
【請求項６】
前記みぞ穴（36）が、脚部（81）を有する実質上「Ｔ」字形の開口部を含み、前記キャリッジ（12）が前記収容位置（52)にある時、及び前記ロック部材(30)が前記ロック位置(32)にある時に、該「Ｔ」字形開口部の脚部（81）が前記ロック部材(30)の前記ピン部(53)と係合し、それにより前記キャリッジ(12)が前記フレーム(38)内に固定される、請求項４又は５記載の輸送ロック装置。
【請求項７】
移動可能なキャリッジ（12）であって、その内で後退位置（50）と前進位置（75）との間で移動可能なサムアセンブリ（28）を有するキャリッジ（12）をフレーム（38）に固定するための方法であって、
前記サムアセンブリ（28）が、前記後退位置においてデータカートリッジを保持可能であり、前記前進位置において該データカートリッジと係合及び解除可能であり、
前記移動可能なキャリッジ（12）に、ロック位置（32）とアンロック位置（34）との間で移動可能なロック部材（30）が設けられ、前記サムアセンブリ（28）が前記後退位置（50）に移動する際に、当該サムアセンブリ（28）は前記ロック部材（30）と係合し、それによって前記サムアセンブリ（28）が前記後退位置（50）に移動すると、前記ロック部材（30）が前記アンロック位置（34）に移動するものであり、
前記フレーム（38）に、前記ロック部材（30）が前記ロック位置（32）にある時に、前記ロック部材（30）に係合するみぞ穴（36）が設けられているものにおいて、
前記移動可能なキャリッジ（12）を、前記フレーム（38）に隣接した収容位置（52）に移動させるステップと、
前記ロック部材（30）を前記ロック位置（32）に移動させ、前記ロック部材（30）を前記みぞ穴（36）に係合させるステップと
からなる方法。
【請求項８】
前記移動可能なキャリッジ（12）を前記フレーム（38）に隣接した前記収容位置（52）に移動させる前に、前記ロック部材（30）を前記アンロック位置（34）に移動させるステップをさらに含む、請求項７記載の方法。
【発明の詳細な説明】
【０００１】
【発明の属する技術分野】
本発明は、概して、光ディスク又は磁気テープカートリッジ等のデータカートリッジを処理及び格納するデータ格納システムに関し、より詳細には輸送（shipping）又は搬送（transport）による破壊から、そのようなデータ格納システムの移動可能な内部機構を保護する規制装置に関する。
【０００２】
【従来の技術】
データ格納システムには、多くの異なるタイプのものがある。それらは、データカートリッジを既知の場所に格納し、所望のデータカートリッジを検索して、データカートリッジへ又はデータカートリッジからデータを読出し又は書込むのに使用されている。このようなデータ格納システムは、特に大量のそれぞれ異なるデータカートリッジに適応が可能である場合に、しばしば「ジュークボックス」データ格納システムと呼ばれる。
【０００３】
一般的なジュークボックスデータ格納システムには、種々のデータカートリッジを保持する、種類の異なる１以上のカートリッジ受容装置を設けることができる。例えば１つの種類は、カートリッジ格納ラック又は「マガジン」を備えたカートリッジ受容装置とすることができ、別の種類は、カートリッジ読出し／書込み装置を備えたカートリッジ受容装置とすることができる。カートリッジ格納ラック又はマガジンは、データカートリッジの格納場所を提供し、しばしば1以上の垂直なスタックを形成するように構成されているが、他の構成も可能である。またカートリッジ読出し／書込み装置は、データ格納システム内のいずれの適切な場所にも配置することができる。
【０００４】
またデータ格納システムには、データカートリッジを種々のカートリッジ受容装置間で、例えばカートリッジ格納ラックとカートリッジ読出し／書込み装置との間で搬送するための移動可能なカートリッジ係合アセンブリ又は「ピッカー」を設けることができる。さらに、一般的なカートリッジ係合アセンブリ又はピッカーには、カートリッジ受容装置内に含まれる種々のデータカートリッジに係合すると共に、それらをピッカー内に引込む、カートリッジプランジ（plunge）機構又は「サム（thumb）」アセンブリを設けることができる。このカートリッジピッカーアセンブリにはピッカー位置決めシステムが関連付けられており、これを用いて、カートリッジピッカーアセンブリを種々のカートリッジ受容装置に沿って移動させることができる。
【０００５】
上述したタイプのデータ格納システムは、通常データカートリッジ上のデータに対するアクセス又は格納に使用することができるホストコンピュータシステムに接続されている。例えばホストコンピュータシステムが特定のデータカートリッジに含まれるデータに対する要求を発行した場合、そのデータ格納システムに関連付けられた制御システムは、ピッカー位置決めシステムを作動させ、ピッカーアセンブリを、所望のデータカートリッジ近傍に位置するまでカートリッジ格納ラックに沿って移動させる。そしてピッカーアセンブリに関連付けられたカートリッジプランジ機構又は「サム」アセンブリは、カートリッジ格納ラックからそのデータカートリッジを取出し、ピッカーアセンブリ内に引込む。その後、ピッカー位置決めシステムが作動され、ピッカーアセンブリを適当なカートリッジ読出し／書込み装置に移動させる。カートリッジ読出し／書込み装置の近傍に適切に配置されると、サムアセンブリは選択されたデータカートリッジをカートリッジ読出し／書込み装置内に挿入することができ、それによってホストコンピュータはそれ以降、そのデータカートリッジに対するデータの読出し又は書込みが可能となる。読出し／書込み動作が終了した後、サムアセンブリが作動され、データカートリッジをカートリッジ読出し／書込み装置から取除く。その後、ピッカーアセンブリは、データカートリッジをカートリッジ格納ラックの適当な場所に戻す。
【０００６】
【発明が解決しようとする課題】
上述したようなタイプのデータ格納システムに関連する問題の１つは、データ格納システムの搬送又は輸送中に、移動可能な部品（例えばピッカーアセンブリ）が過度に移動することに関する。すなわち輸送又は搬送中にこれら可動部品が過度に移動することにより、システムの精密な位置合せが狂う可能性があり、そのためシステムを使用可能状態にする前に再位置合せ又は再較正を行う必要が生じる可能性がある。極端な場合、そのような可動部品が過度に移動することにより、可動部品が物理的に損傷する可能性があり、その場合データ格納システムを使用可能状態にする前に、それらを修理又は交換する必要が生じる。
【０００７】
上記問題を避けるために、データ格納システムの輸送又は搬送中に可動部品の過度な移動を防止する、様々な種類の規制装置が開発されている。そのような規制装置の中で主なものは、ねじ及び／又は組合せねじブラケット（screw-bracket）アセンブリである。一般にこのような装置を使用して、可動部品（例えばカートリッジピッカー）をデータ格納システムのフレーム又はシャシに固定し、それによって可動部品がその後の輸送又は搬送中に損傷する可能性を実質上低減する。しかしながらこのような規制装置は、機能的な観点から見れば概して効果的ではあるが、一般に装置を使用可能な状態とする前に、ユーザが個々のねじ及び／又はねじブラケットアセンブリを取除く必要がある。それを実行するためには時間がかかると共に、通常別の工具を使用する必要があるだけでなく、ユーザによっては、不注意であるか又は必要な技能を有していないことがあり、その処置において可動部品に損傷を与える可能性がある。またユーザによっては、輸送規制部材を全て取除き損なう可能性もあり、それによってユーザがそのシステムが誤動作していると誤って判断することとなる。
【０００８】
したがって、搬送中に可動内部部品の位置合せの狂い又は損傷の可能性を低減する、データ格納装置又は同様のシステム内に設けられた可動アセンブリを固定するための輸送規制システムが依然として必要とされている。理想的には、このような輸送規制システムは、製造にコストがかからず、好ましくは別の工具を必要とすることなく、ユーザが容易に取外すことができることが必要である。他の利点としては、ユーザが装置を別の場所に移動することができるように、そのような輸送規制システムの再取付けが容易であるということが考えられる。
【０００９】
【課題を解決するための手段】
移動可能なカートリッジピッカーアセンブリをフレームに固定するための輸送ロック装置は、ロック位置とアンロック位置との間で移動することができるようにカートリッジピッカーアセンブリに取付けられたロック部材を備えている。カートリッジピッカー内に設けられたサムアセンブリは、サムアセンブリが後退位置に移動するとロック部材に接触し、それによってサムアセンブリが後退位置に達すると、ロック部材はアンロック位置に移動する。フレームに設けられたみぞ穴（slot）は、カートリッジピッカーアセンブリが収容位置にある時、及びロック部材がロック位置に配置されている時に、そのロック部材に係合するように寸法が決められている。
【００１０】
また、移動可能なカートリッジをフレームに固定する方法についても開示し、この方法は、可動カートリッジをフレームに隣接した収容位置に移動させるステップと、ロック部材をロック位置に移動させることによりそのロック部材をフレームのみぞ穴に係合させるステップとを含んでいる。
【００１１】
【発明の実施の形態】
本発明の実例となる目下好ましい実施の形態を、添付図面を参照して説明する。
【００１２】
本発明の１つの好ましい実施の形態による輸送ロック装置10について示し説明する。ここでは、輸送ロック装置10は、「ジュークボックス」データ格納システム14に関連したカートリッジ係合アセンブリ又は「ピッカー」12等の移動可能なキャリッジを、取外し可能に固定するために使用することができる。輸送ロック装置10は、データ格納システム14を移動又は搬送する前に、キャリッジ（例えばカートリッジピッカーアセンブリ12）の過度な移動を防止するために係合される。それによって輸送ロック装置10は、カートリッジピッカーアセンブリ12が輸送中に位置合せが狂ったり損傷したりする可能性を実質上低減する。
【００１３】
輸送ロック装置10を用いることができるジュークボックスデータ格納システム14が図１に最もよく示され、このデータ格納システム14は、略矩形状のフレーム又はシャシアセンブリ38からなり、このフレームアセンブリ38の周りには、１以上のカートリッジ格納ラック又はマガジン18及び１以上のカートリッジ読出し／書込み装置20等の複数のカートリッジ受容装置が配置されている。ここで示し説明する実施の形態では、種々のカートリッジ受容装置（例えばカートリッジ格納ラックもしくはマガジン18及びカートリッジ読出し／書き込み装置20）が、略Ｕ字形状を形成するように配置されている。あるいは、後に詳述するように別の形状も可能である。
【００１４】
カートリッジピッカーアセンブリ12は、フレームもしくはシャーシアセンブリ38に設けられたＵ字形ガイドトラック22に取付けることができる。このＵ字形ガイドトラック22は、カートリッジピッカーアセンブリ12を略Ｕ字形路24に沿って案内し、それによってカートリッジピッカーアセンブリ12は、種々のカートリッジ受容装置（例えば18、20）に格納された全てのデータカートリッジ16にアクセスすることが可能となる。カートリッジピッカーアセンブリ12には、ピッカー位置決めシステム26が動作的に関連付けられており、これを用いてカートリッジピッカーアセンブリ12をＵ字形ガイドトラック22に沿った種々の位置に移動させることができる。
【００１５】
ここで、まず図５、図10及び図11を参照すると、カートリッジピッカーアセンブリ12には、種々のカートリッジ受容装置内にあるデータカートリッジ16を取出し及び元に戻すためのカートリッジプランジ機構又は「サム」アセンブリ28が設けられている。１つの好ましい実施の形態においては、サムアセンブリ28が、後退位置50（図10に示す）と前進位置75（図11に示す）との間で移動することができるように、カートリッジピッカーアセンブリ12内にサムアセンブリ28が移動可能に取付けられている。すなわちサムアセンブリ28は、カートリッジピッカーアセンブリ12内を矢印86及び88にそれぞれ示す方向に前進及び後退することができる。サムアセンブリ28には、フィンガアセンブリ33が設けられており、後に詳述するように、このフィンガアセンブリ33により、サムアセンブリ28がデータカートリッジ16を係合及び解除することが可能となる。
【００１６】
要約すると、サムアセンブリ28を利用して、選択されたデータカートリッジ16に係合し、それをカートリッジ受容装置（場合により、例えばカートリッジマガジン18又はカートリッジ読出し／書込み装置20）から取出し、それをカートリッジピッカーアセンブリ12内に引込む。またサムアセンブリ、サム機構28を利用して、データカートリッジ16を所望のカートリッジ受容装置内に挿入する。さらにカートリッジピッカーアセンブリ12を利用して、データカートリッジ16をデータ格納システム14内の適当な位置に運ぶ。
【００１７】
輸送ロック装置10が図２及び図３に最もよく示され、この輸送ロック装置10には、ロック位置32とアンロック位置34との間で前後に、行きつ戻りつ（すなわち概して矢印73で示す方向に）移動することができるように、カートリッジピッカーアセンブリ12に取付けられたロック部材30が設けられている。ロック部材30とピッカーフレームアセンブリ82との間に連結されるバイアス部材又はばね67が、ロック部材30をロック位置32に付勢する。後に詳述するように、カートリッジピッカーアセンブリ12内に設けられたサムアセンブリ28を用いて、ロック部材30をロック位置32からアンロック位置34へ移動させることができる。換言すれば、サムアセンブリ28は、ロック部材30をロック位置32とアンロック位置34との間で移動させるロックアクチュエータである。
【００１８】
データ格納システム14のシャーシもしくはフレーム38には、Ｔ字形みぞ穴36が設けられており、このＴ字形みぞ穴36は、ロック部材30を図３に最もよく示すような方法で、受容及び係合するような寸法となっている。すなわち、ロック部材30がアンロック位置34にある時、ロック部材30の拡大ヘッド46は、自由にＴ字形みぞ穴36の拡大部分48を貫通する。その後ロック部材30がロック位置32に移動すると、ロック部材30はＴ字形みぞ穴36の脚部81に係合する。この係合した状態を、図２及び図３に示す。ロック部材30がフレームもしくはシャーシ38のＴ字形みぞ穴36に係合することにより、カートリッジピッカーアセンブリ12が垂直方向40及び横方向42に規制される。またロック部材30とＴ字形みぞ穴36とが係合することにより、カートリッジピッカーアセンブリ12の正（＋）の縦方向44への移動が防止される。
【００１９】
輸送ロック装置10は、以下のように動作して、移動可能なカートリッジピッカーアセンブリ12をデータ格納システム14のフレームもしくはシャーシ38に固定することができる。このプロセスの第１のステップとして、カートリッジピッカーアセンブリ12内に取付けられたサムアセンブリ28が、図10に最もよく示されるように、完全な後退位置50に向かって矢印88の方向に移動する。サムアセンブリ28が完全な後退位置50に近づくと、サムアセンブリ28は、ロック部材30に接触し、ロック部材30をアンロック位置34に向かって移動させる。サムアセンブリ28が完全な後退位置50に到達すると（図10に示すように）、図３に最もよく示されるように、ロック部材30は、完全なアンロック位置34にくる。そしてピッカー位置決めシステム26が必要に応じて動作して、図２及び図３に示す収容位置52に到達するまで正（＋）の横方向42にカートリッジピッカーアセンブリ12を移動させる。ピッカー位置決めシステム26がカートリッジピッカーアセンブリ12を収容位置52に向かって移動させると、ロック部材30の拡大ヘッド46は、Ｔ字形みぞ穴36の拡大位置48を貫通する。ピッカー位置決めシステム26は、カートリッジピッカーアセンブリ12がフレームもしくはシャーシ38に設けられた「ハードストップ（hard stop）」（図示せず）に接触するまで、収容位置52に向かって（すなわち正（＋）の横方向42に向かって）移動させ続けることができる。カートリッジピッカーアセンブリ12が完全に収容位置52に達すると、ロック部材30の拡大ヘッド46は、Ｔ字形みぞ穴の拡大部分48を完全に貫通する。さらにカートリッジピッカーアセンブリ12内に設けられたサムアセンブリ28は、僅かに伸ばされ（すなわち図５の矢印86の方向に移動し）、それによってバイアス部材又はばね67がロック部材30をロック位置32に戻すことができる。これによってロック部材30は、Ｔ字形みぞ穴36に係合することとなる。ロック部材30がＴ字形みぞ穴36と係合することにより、カートリッジピッカーアセンブリ12がフレームもしくはシャーシ38に固定され、したがってカートリッジピッカーアセンブリ12のシャーシ38に対する過度の移動が防止される。その後データ格納システム14は、シャーシ38内でカートリッジピッカーアセンブリ12の過度な移動により、移動可能なカートリッジピッカーアセンブリ12が損傷するか又は位置合せが狂うという危険無く、移動又は搬送することが可能となる。
【００２０】
データ格納システム14を新たな場所に移動した後、上述した係合プロセスを基本的に逆に行うことによって、輸送ロック装置10を係合解除又はアンロックすることができる。すなわち、まずカートリッジピッカーアセンブリ12内に設けられたサム機構もしくはサムアセンブリ28を完全な後退位置50（図10）に移動させることにより、輸送ロック装置10を係合解除することができる。サムアセンブリ28が完全に後退すると、ロック部材30はロック位置32からアンロック位置34に移動する（図３）。その後ピッカー位置決めシステム26が、作動され、カートリッジピッカーアセンブリ12を負（−）の横方向42、すなわち収容位置52から離れるよう移動することができ、それにより、ロック部材30の拡大ヘッド46がＴ字形みぞ穴36の拡大部分48から引込む。その後データ格納システム14は、使用可能状態となり、必要に応じて動作する。
【００２１】
本発明による輸送ロック装置10の重要な利点は、それが別個のファスナ及び／又はブラケットアセンブリを必要とすることなく、移動可能なカートリッジピッカーアセンブリ12をフレーム38に確実に固定する、ということである。したがって輸送ロック装置10は、移動可能なカートリッジピッカーアセンブリ12をフレームアセンブリ38に対して固定及び解放するための、別個のファスナ又は装置を手で締めたり外したりする必要を不要とする。また他の利点は、本発明による輸送ロック装置10を設けることにより、自動的な取外し及び係合機能が可能となるということである。例えば自動ロック取外し機能により、ユーザが輸送ロック装置10を手で外す必要が完全に無くなる。輸送ロック装置10を自動的に再係合させることができることにより、データ格納システムを移動又は再配置する必要がある場合にユーザの利便性が向上する。すなわち、ユーザは、制御システムに輸送ロック装置10を再度係合するよう指示するだけで、移動可能なカートリッジピッカーアセンブリ12をフレーム38に再度固定することができる。その後ユーザは、カートリッジピッカーアセンブリ12がデータ格納システム14内での過度な移動により位置合せが狂うか又は損傷することが無いことを確信して、データ格納システム14を移動又は搬送することができる。
【００２２】
輸送ロック装置10について簡単に説明してきたが、ここで、本発明による輸送ロック装置の各種の実施形態について、そのより重要な特徴及び利点のいくつかと共に詳細に説明する。しかしながら、その説明の前に、本発明による輸送ロック装置10が、現在当技術分野で知られている、又は将来開発される可能性のある可動内部部品を有する広範な装置のいずれにおいても利用することができる、ということに留意すべきである。したがって本発明は、ここで示し説明する特定のデータ格納システム14及びカートリッジピッカーアセンブリ12に限定されるものであると、みなされるべきではない。
【００２３】
上述した点を考慮し、輸送ロック装置10の１つの実施形態について、「ジュークボックス」データ格納システム14において用いることができるものとして、ここで示し説明する。１つの好ましい実施の形態において、ジュークボックスデータ格納システム14は、1998年３月20日に出願され、「Multi-Plane Translating Cartridge Handling System」と題された米国特許出願番号第09／045,134号（代理人整理番号10971539-1）に示し記載されているタイプのデータ格納システムによって構成することができる。なおこの出願の開示する内容全てを、本明細書では参照として援用する。代替的にはデータ格納システム14は、「Linear Displacement and Support Apparatus for use in a Cartridge Handling System」と題された米国特許第5,596,556号に示し記載されているタイプのものでもよい。なお、この特許の開示する内容全てを、本明細書では参照として援用する。
【００２４】
ここで、主に図１及び図２を参照すると、上述した米国特許出願番号第09／045,134号に示し記載されているデータ格納システム14は、略矩形状のフレームもしくはシャーシアセンブリ38を備えている。このフレームもしくはシャーシアセンブリ38は、一対の対向する側部54、56と終端部58とを有しており、これらの周囲には種々のカートリッジ受容装置が配置されている。より具体的には、一対のカートリッジラックもしくはマガジン18が、フレームもしくはシャーシアセンブリ38の各対向する側部54、56に隣接して配置されており、一対のカートリッジ読出し／書込み装置20がフレームアセンブリ38の終端部58に隣接して配置されている。したがって種々のカートリッジ受容装置（例えばカートリッジ格納ラックもしくはマガジン18及びカートリッジ読出し／書込み装置20）は、略Ｕ字形状を形成している。
【００２５】
フレームもしくはシャーシアセンブリ38には、平行に、かつ間隔を空けて配置されるように取付けられた下部板60及び上部板78が設けられている。図２を参照のこと。図１に最もよく示されるように、下部板60には、その内側にＵ字形ガイドトラック又はチャネル22が設けられている。同様に上部板78にもまた、その内側にＵ字形ガイドトラック又はチャネル（図示せず）が設けられている。カートリッジ係合アセンブリもしくはピッカーアセンブリ12は、フレームアセンブリ38の下部板60及び上部板78内に設けられたガイドトラック（例えばＵ字形ガイドトラック22）に沿って移動するように構成されている。ここで図４を参照すると、カートリッジピッカーアセンブリ12には、下部板60内に設けられた下部のガイドトラックもしくはチャネル22に受容されるように寸法が決められた一対の下部軸受部材68、70を設けることができる。またカートリッジピッカーアセンブリ12には、上部板78内に設けられた上部のガイドトラックもしくはチャネル（図示せず）に受容されるように寸法が決められた一対の上部軸受部材72、74が設けられている。ここでは、カートリッジピッカーアセンブリ12が種々のカートリッジマガジン18及びカートリッジ読出し／書込み装置20内にあるデータカートリッジ16にアクセスすることができるように、下部板60及び上部板78内に設けられたＵ字形ガイドトラック（例えばガイドトラック22）が、カートリッジピッカーアセンブリ12を略Ｕ字形路24に沿って案内するような配置となっている。
【００２６】
ピッカー位置決めシステム26（図１）を用いて、カートリッジピッカーアセンブリ12をＵ字形ガイドトラック22に沿って移動させることができる。例えばここで示し説明する実施の形態においては、ピッカー位置決めシステム26は、フレームアセンブリ38の第１の側部54に隣接した第１の位置62、フレームアセンブリ38の終端部58に隣接した第２の位置62’及びフレームアセンブリ38の第２の側部56に隣接した第３の位置62''の間で、カートリッジピッカーアセンブリ12を移動させることができる。
【００２７】
ピッカー位置決めシステム26は、Ｕ字形ギアラック64を有するラックピニオン駆動システムからなり、このＵ字形ギアラック64は、フレームアセンブリ38の下部板60に、Ｕ字形ガイドトラック22に隣接した位置で取付けられている。図１及び図２を参照のこと。またフレームアセンブリ38の上部板78には、上部板78に設けられたＵ字形ガイドトラック（図示せず）に隣接した位置に取り付けられた同様のＵ字形ギアラック（図示せず）が設けられている。カートリッジピッカーアセンブリ12には、下部ピニオンギア66（図４）が設けられ、これは下部板60に設けられた下部のＵ字形ギアラック64に係合するよう寸法が決められ配置されている。またカートリッジピッカーアセンブリ12には、上部板78に設けられた上部のＵ字形ギアラック（図示せず）に係合するよう寸法が決められ配置された、上部ピニオンギア76を設けることもできる。カートリッジピッカーアセンブリ12に設けられた駆動ピニオンアクチュエータシステム80を用いて、下部及び上部ピニオンギア66及び76を駆動することができ、それによってカートリッジピッカーアセンブリ12が略Ｕ字形路24に沿って移動する。
【００２８】
本発明の１つの好ましい実施の形態で利用することができるカートリッジピッカーアセンブリ12の詳細が、図４〜図６に最もよく示される。基本的にカートリッジピッカーアセンブリ12には、第１の側板94及び第２の側板96を備えるピッカーフレームアセンブリ82が含まれる。この２つの側板94及び96は、データカートリッジ16を受容するのに十分な寸法の内部チャンバ又はキャビティ77を画定する。またサムアセンブリ28が、フレームアセンブリ82のカートリッジアクセス端84に向かって及びそこから離れて、すなわち概してそれぞれ矢印86及び88の方向に移動することができるように、サムアセンブリ28は、フレームアセンブリ82に摺動可能に取付けられている。図５を参照のこと。より具体的には、サムアセンブリ28が、後退位置50（図10に示す）と前進位置75（図11に示す）との間で移動することができるように、サムアセンブリ28は、フレームアセンブリ82に摺動可能に取付けられている。
【００２９】
サムアセンブリ28を上記のような方法で後退位置50と前進位置75との間で移動することができるようにする、当技術分野で周知の広範囲に亙る取付けシステム及び装置のうちの任意のシステム及び装置によって、サムアセンブリ28は、カートリッジピッカーアセンブリ12のピッカーフレームアセンブリ82に摺動可能に取付けることができる。したがって本発明は、ここで示し説明する特定の取付け配置構成に限定されるべきではない。しかしながら例を挙げれば、１つの好ましい実施形態で利用されるサムアセンブリ28は、1998年３月20日に出願され、「Mounting System for Cartridge Plunge Mechanism」と題された米国特許出願番号第09／045,380号（代理人整理番号10971540-1）に示し説明されている取付けシステムにより、カートリッジピッカーアセンブリ12のピッカーフレームアセンブリ82に取付けられている。なおこの出願に開示されている内容の全てを、本明細書では参照として援用する。
【００３０】
簡単に言えば、上記米国特許出願番号第09／045,380号に記載されているサムアセンブリ28は、ピッカーフレームアセンブリ82の第１及び第２の側板94及び96に設けられた第１及び第２の細長いガイドレール90及び92上に取付けられる。より具体的には、サムアセンブリ28は本体部98を有してもよく、この本体部98から、第１のフランジ部材11（図６）及び第２のフランジ部材13（図５）が延伸している。第１のフランジ部材11には、ピッカーフレームアセンブリ82の第１の側板94に設けられた第１のガイドレール90及び水平ガイド面17に係合するように、複数の軸受シュー15が取付けられていてもよい。第２のフランジ部材13が図５に最もよく示される。第２のフランジ部13がピッカーフレームアセンブリ82の第２の側板96の第２のガイドレール92の上面及び下面と係合するよう、第２のフランジ部材13には細長いみぞ穴19が設けられていてもよい。図６を参照のこと。また第２のガイドレール92に低摩擦で係合するように、細長みぞ穴19及び第２のフランジ部材13の外面にも軸受シュー15が設けられる。
【００３１】
上述した種々の部品は、金属又はプラスチック等の広範な材料のうちの用途に適した任意の材料から作成することができる。例えば１つの好ましい実施の形態では、ピッカーフレームアセンブリ82を構成する第１及び第２の側板94及び96は、ポリカーボネートプラスチック材料から成形されている。したがって例えば第１のガイドレール90、水平ガイド面17及び第２のガイドレール92等の種々の部品及びそれらが備える特徴的な部分を、各側板94、96の一体の要素として設けることができる。あるいはピッカーフレームアセンブリ82を構成する第１及び第２の側板94及び96を他の材料から作成することもでき、その場合側板94、96の種々の部品及び特徴的な部分は、具体的な設計及び利用する材料によって、一体の要素としても別個の要素としてもよい。
【００３２】
またサムアセンブリ28の本体部98は、広範な材料のうちの用途に適した任意の材料から作成することができる。例えばここで示し説明する実施の形態では、サムアセンブリ28の本体部98は、摩擦緩和材として少量のテフロン（商標名）（例えば約15重量％）が添加されたナイロンから作成されているが、他の材料もまた使用することができる。１つの好ましい実施の形態では、サムアセンブリ28の本体部98の第１及び第２のフランジ部材11及び13に設けられた種々の軸受シュー15は、本体部98に一体化した部分として構成されている。あるいは軸受シュー15は、第１及び第２のフランジ部材11及び13に取付けが可能な別個の要素から構成することもできる。その場合、種々の軸受シュー15は、広範な材料（例えばテフロン（商標名））のうち、第１及び第２のガイドレール90及び92に低摩擦で係合するのに適した任意の材料から製作することができる。
【００３３】
サムアセンブリ28は、広範なアクチュエータシステムのうちの任意のシステムにより、後退位置50及び前進位置75（それぞれ図10及び図11）の間で移動することが可能である。例示として、１つの好ましい実施形態では、サムアセンブリ28は、1998年３月20日に出願され、「Cartridge Engaging Assembly with Rack Drive Thumb Actuator System」と題された米国特許出願番号第09／045,558号（代理人整理番号10971538）に示し記載されているタイプのラックピニオン駆動アセンブリにより、後退位置50及び前進位置75それぞれの間を移動することができる。なおこの出願の開示する内容の全てを、本明細書では参照として援用する。またあるいは、サムアクチュエータシステムとして他のタイプのものも使用することができる。
【００３４】
本発明の１つの好ましい実施形態において利用されると共に、上述した米国特許出願番号第09／045,558号に示し説明されているラックピニオン駆動システム21が、図５に最もよく示される。このラックピニオン駆動システム21には、ピッカーフレームアセンブリ82の第１の側板94に取付けられている細長いギアラック23が備えられている。ギアラック23は、適切な場所であれば第１の側板94のどこにでも配置することができる。例えば１つの好ましい実施の形態では、ギアラック23は、水平ガイド面17のすぐ下の位置に配置されている。あるいはギアラック23は、第１の側板94のどこにでも配置してよく、又は第２の側板96に配置することも可能である。
【００３５】
ギアラック23は、金属又はプラスチックス等の広範な材料のうちの用途に適した材料から作成することができる。例えばここで示し説明する実施の形態では、第１の側板94は成形プラスチックから構成されており、ギアラック23は、第１の側板94の一体化した特徴部分を構成している。あるいはギアラック23は、第１の側板94に固定された別個の部品から構成することもできる。
【００３６】
サムアセンブリ28の本体部98には、ギアラック23に係合するように配置されたピニオンギア31が設けられている。図10及び図11を参照のこと。このピニオンギア31は、駆動システム25によって回転するようになっている。また１つの好ましい実施の形態では、この駆動システム25は、モータ27及びギア減速システム29を含む。モータ27は、サムアセンブリ28の本体部98に取付けられており、またピニオンギア31を回転させてサムアセンブリ28を前進及び後退させるように、モータ27はギア減速システム29に動作可能に関連付けられている。
【００３７】
モータ27は、広範なモータのうち用途に適した任意のモータによって構成することができる。１つの好ましい実施の形態では、モータ27は、中国のMobuchi Co.から入手可能な型番号RS-385PH等の永久磁石ＤＣモータによって構成されているが、他のタイプのものも使用することができる。
【００３８】
ギア減速システム29は、複数の平歯車を利用して、モータ27が適当な速度でサムアセンブリ28を前進及び後退させるのに十分な減速率を提供すると共に、選択されたカートリッジ受容装置からデータカートリッジ16を引き出し及び、選択されたカートリッジ受容装置にデータカートリッジ16を挿入するのに十分な力を有する従来のギア減速システムから構成することができる。１つの好ましい実施の形態では、ギア減速システム29は、約11.5：１の減速率を提供するが、例えば選択される特定のモータ27の速度及びトルク特性により、他の減速率が利用される。ギア減速システム29を構成する種々の平歯車は、金属又はプラスチック等の用途に適した任意の適切な材料から作成することができる。例として、１つの好ましい実施の形態では、ギア減速システム29を構成する種々の平歯車は、黄銅及びステンレス鋼から作成される。あるいはギア減速システム29は、ウォームギアなどの他の種類のギアを用いて、所望の減速を提供するようにすることも可能である。
【００３９】
またサムアセンブリ28には、データカートリッジ16などのデータカートリッジを係合するために、当技術分野において周知のあらゆる種類のフィンガアセンブリのうちの任意のものを設けることができる。したがって本発明は、いかなる特定の種類のフィンガアセンブリにも限定されるとみなされるべきではない。例として１つの好ましい実施形態では、フィンガアセンブリ33は、図６に最もよく示されるように、フック部37を有するアーム35から構成されている。アーム35のフック部37は、データカートリッジ16に設けられた切欠き39（図10及び図11）に係合するように構成されている。アーム35は、旋回軸41を中心に自由に旋回するよう、サムアセンブリ28の本体部98に旋回可能に取付けられている。図５を参照のこと。またばね（図示せず）を用いて、図10に示すようにアーム35を係合位置に付勢することができる。このアーム35には、ピン43を設けることができ（図５）、このピン43は、フレームアセンブリ82の第２の側板96に設けられたガイドトラック45に係合する（図６）。サムアセンブリ28が図10に示す後退位置50と図11に示す前進位置75との間で前後に移動すると、ガイドトラック45がアーム35を作動する。しかしながら、データカートリッジに係合するフィンガアセンブリ33及びガイドトラック45等のフィンガ及びトラックシステムは、当技術分野において周知であり、当業者が本発明の教示内容を熟知した後に容易に提供することができるものであるため、本発明の１つの好ましい実施の形態で使用される特定のフィンガアセンブリ33及びガイドトラック45については、ここではこれ以上詳細には説明しない。
【００４０】
データ格納システム14及び関連部品（例えばカートリッジピッカーアセンブリ12、サムアセンブリ28及びピッカー位置決めシステム26）についての上述した説明は、本発明による輸送ロック装置10が使用される一環境をよりよく理解するためのものである。しかしながら上述したように、可動内部部品を有する、広範囲に亙る他のタイプのデータ格納システム又は他の同様な装置のいずれにおいても、輸送ロック装置10を使用することができることを理解すべきである。したがって本発明を、ここで示し説明する特定のデータ格納システム14に限定するものとみなすべきではない。またデータ格納システム14及び関連部品（例えばカートリッジピッカーアセンブリ12、サムアセンブリ28及びピッカー位置決めシステム26）の詳細な説明は、輸送ロック装置の発明を理解又は実施するために必要ではないため、輸送ロック装置10と協働して用いることができる特定のデータ格納システム14及び関連部品については、ここではこれ以上詳細には説明しない。
【００４１】
ここで主に図３及び図７〜図９について説明する。輸送ロック装置10は、ロック部材30がロック位置32とアンロック位置34との間を移動することができるよう、カートリッジピッカー12に取付けられたロック部材30を備えている。図３を参照のこと。ここで示し説明する実施の形態では、ロック部材30は、図９に最もよく示されるように、ピッカーフレーム82の第１の側板94の水平ガイド面17の上面47及び底面49の間に、摺動可能に取付けられている。この取付け配置構成により、サムアセンブリ28は、ロック部材30をロック位置32及びアンロック位置34のそれぞれの間で移動させることができる。あるいは使用される特定のピッカーフレームアセンブリ82の構成によって、他の取付け配置構成が必要もしくは所望される場合もある。
【００４２】
次に図７について説明する。ここで示し説明する実施の形態で利用されるロック部材30には、摺動部51及びピン部53が設けられている。ロック部材30の摺動部51には、共にチャネル部59を画定する上部ガイド面55及び下部ガイド面57が設けられている。このチャネル部59は、摺動部材94の水平ガイド面17の上面47及び底面49に摺動可能に係合するよう寸法が決められている。ロック部材30の下部ガイド面57には、ロック部材30がロック位置32を超えて正（＋）の縦方向44に移動するのを防止するために、水平ガイド面17の端部79に係合する上向移動止め部61が設けられる。図３及び図９を参照のこと。ロック部材30の上部ガイド面部55には、上向サム係合部63が設けられている。この上向サム係合部63は、サムアセンブリ28が後退位置50（図10）に近づくと、サムアセンブリ28の本体部98に係合する（すなわち寄掛る）ように構成されている。これは、サムアセンブリ28が図10に示す完全な後退位置50に移動すると、ロック部材30をロック位置32からアンロック位置34（図３）まで移動させるような配置構成となっている。またロックアセンブリ30の摺動部51には、ロック部材30をロック位置32に向けて付勢するもどりばね67が受容されるよう寸法が決められたアーム65を設けることができる。図３及び図９を参照のこと。
【００４３】
ロック部材30のピン部53は、摺動部51から外側に、概して正（＋）の横方向42に延び、シャーシ38に設けられたＴ字形みぞ穴36に係合するように寸法が決められている。このピン部53には、ロック部材30がロック位置32にある時に、カートリッジピッカー12が負（−）の横方向42に移動するのを防止するために、シャーシ38の側部69に係合する拡大ヘッド46が設けられている。図３を参照のこと。またピン部53には、ロック部材30がロック位置32にある時に、カートリッジピッカー12が正（＋）の横方向42に移動するのを防止するために、シャーシ38の背面（図示せず）に係合する肩部71が設けられている。
【００４４】
ロック部材30は、広範な材料（例えば金属又はプラスチック）のうち用途に適した任意の材料から製作することができる。したがって本発明を、何らかの特定の材料から構成されたロック部材30に限定するものとみなすべきではない。例として、１つの好ましい実施の形態では、ロック部材30はナイロン610から形成されており、ピン部53はステンレス鋼から製作された別個の部品から構成されている。あるいは、本発明の教示内容に熟知した後に当業者に明らかとなるように、ロック部材30を１つの単一部品から構成することも可能である。
【００４５】
また輸送ロック装置10には、図３に最もよく示されるように、データ格納システム14のシャーシもしくはフレーム38に設けられたＴ字形みぞ穴36が設けられている。このＴ字形みぞ穴36は、ロック部材30のピン部53が受容され、係合するような寸法に決められている。すなわち、ロック部材30がアンロック位置34にある時、ロック部材30の拡大ヘッド46は、Ｔ字形みぞ穴36の拡大部分48を自由に貫通する。その後ロック部材30がロック位置32に移動した場合、ロック部材30はＴ字形みぞ穴36の脚部81に係合する。この係合状態が図２及び図３に示される。ロック部材30がフレームもしくはシャーシ38のＴ字形みぞ穴36の脚部81に係合すると、カートリッジピッカー12が垂直方向40及び横方向42でそれぞれ規制される。またロック部材30及びＴ字形みぞ穴36が係合することにより、カートリッジピッカー12が正（＋）の縦方向44に移動するのが防止される。なお当業者には明らかであるように、輸送ロック装置10は、Ｔ字形みぞ穴36に限定されるものではなく、他の形状を有するみぞ穴もまた採用することができる。
【００４６】
輸送ロック装置10は、以下のように動作して、移動可能なカートリッジピッカー12をデータ格納システム14のフレームもしくはシャーシ38に固定することができる。このプロセスの第１のステップとして、図10に最もよく示されるように、カートリッジピッカー12に取付けられたサム機構、サムアセンブリ28は完全な後退位置50に移動する。サムアセンブリ28が完全な後退位置50に近づくと、サムアセンブリ28の本体部98は、ロック部材30の上向サム係合部63に接触する。この接触により、サムアセンブリ28が後退位置50の方向に移動するにしたがって、ロック部材30がアンロック位置34に向かって移動する。図３及び図11を参照のこと。サムアセンブリ28が完全な後退位置50に達すると（図10）、ロック部材30は完全なアンロック位置34に位置する（図３）。さらにピッカー位置決めシステム26（図１）が必要に応じて動作し、カートリッジピッカーアセンブリ12を収容位置52（図２及び図３に示す）に向かって正（＋）の横方向42に移動させる。ピッカー位置決めシステム26がカートリッジピッカーアセンブリ12を収容位置52に向かって移動させると、ロック部材30の拡大ヘッド46はＴ字形みぞ穴36の拡大部分48を貫通する。カートリッジピッカー12がフレームもしくはシャーシ38に設けられたハードストップ（図示せず）に接触するまで、ピッカー位置決めシステム26は、収容位置52に向かって（すなわち正（＋）の横方向42に）カートリッジピッカー12を移動させ続ける。カートリッジピッカーアセンブリ12が完全に収容位置に達すると、ロック部材30の拡大ヘッド46は、Ｔ字形みぞ穴36の拡大部分48を完全に貫通する。そしてカートリッジピッカー12内に設けられたサムアセンブリ28は、僅かに伸びて（すなわち矢印86の方向に移動して）、ばね67がロック部材30をロック位置32に戻し、Ｔ字形みぞ穴36に係合させることができる。ロック部材30をＴ字形みぞ穴36に係合させることにより、カートリッジピッカー12がフレームもしくはシャーシ38に固定され、それによってカートリッジピッカー12のシャーシ38に対する過度の移動が防止される。その後データ格納システム14は、移動可能なカートリッジピッカー12がシャーシ38内での過度な移動により損傷し又は位置合せが狂うという危険が無く、移動又は搬送される。
【００４７】
輸送ロック装置10は、データ格納システム14をその新たな場所に移動した後、上述した係合プロセスを逆に行うことにより、係合解除又はアンロックすることができる。すなわち輸送ロック装置10は、まずカートリッジピッカー12内に設けられたサムアセンブリ28を完全に後退させて、ロック部材30をロック位置32からアンロック位置34に移動させることにより、係合を解除することができる。その後ピッカー位置決めシステム26を作動させて、カートリッジピッカー12を負（−）の横方向42、すなわち収容位置52から離れるように移動させる。さらにデータ格納システム14を使用可能な状態にして、必要に応じて動作させることが可能となる。
【００４８】
ここで説明した発明の概念は、他の様々な形態で具体化することが可能であり、特許請求の範囲は、従来技術が限定する内容を除き、本発明の代替的な実施の形態を含むよう解釈すべきである。
【００４９】
以下においては、本発明の種々の構成要件の組み合わせからなる例示的な実施態様を示す。
【００５０】
１．移動可能なキャリッジ（12）をフレーム（38）内に固定するするための輸送ロック装置（10）であって、
ロック位置（32）とアンロック位置（34）との間で移動することができるように、キャリッジ（12）に取付けられたロック部材（30）と、
前記ロック部材（30）と協働して、前記ロック部材（30）をロック位置（32）とアンロック位置（34）との間で移動させるロックアクチュエータ（28）と、
フレーム（38）に設けられ、前記キャリッジ（12）が収容位置（52）にある時、及び前記ロック部材（30）がロック位置（32）に配置されている時に、前記ロック部材（30）に係合するように寸法が決められているみぞ穴（36）と
を具備する輸送ロック装置。
【００５１】
２．前記ロック部材（30）と協働する、前記ロック部材（30）をロック位置（32）に付勢するためのバイアス部材（67）をさらに具備する、１項記載の輸送ロック装置。
【００５２】
３．前記バイアス部材（67）がばねからなる、１項又は２項記載の輸送ロック装置。
【００５３】
４．前記ロック部材（30）が、
前記キャリッジ（12）に摺動可能に取付けられているスライダ部（51）と、
前記スライダ部（51）に取付けられているピン部（53）と
をさらに具備する、１〜３項のいずれか１項記載の輸送ロック装置。
【００５４】
５．前記ピン部（53）が拡大ヘッド部（46）を有し、前記キャリッジ（12）が前記収容位置（52）にある時、及び前記ロック部材（30）が前記ロック位置（32）にある時、前記ロック部材（30）の前記ピン部（53）及び前記拡大ヘッド部（46）が前記フレーム（38）のみぞ穴（36）に係合する、１〜４項のいずれか１項記載の輸送ロック装置。
【００５５】
６．前記みぞ穴（36）が、脚部（81）を有する実質上「Ｔ」字形の開口部を備え、前記キャリッジ（12）が前記収容位置（52)にある時、及び前記ロック部材(30)がロック位置(32)にある時に、該「Ｔ」字形開口部の脚部（81）が前記ロック部材(30)の前記ピン部(53)に係合し、それにより前記キャリッジ(12)を前記フレーム(38)内で固定する、１〜５項のいずれか１項記載の輸送ロック装置。
【００５６】
７．前記ロックアクチュエータ（28）が、前記キャリッジ（12）内に摺動可能に取付けられたサムアセンブリを備え、該サムアセンブリが後退位置（50）に移動可能であって、該サムアセンブリがその後退位置（50）に移動した時に、該サムアセンブリが、前記ロック部材（30）をロック位置（32）からアンロック位置（34）に移動させる、１〜６項のいずれか１項記載の輸送ロック装置。
【００５７】
８．移動可能なカートリッジピッカーアセンブリ（12）をフレーム（38）に固定するための輸送ロック装置（10）であって、該カートリッジピッカーアセンブリ（12）が、該カートリッジピッカーアセンブリ（12）内で後退位置（50）と前進位置（75）との間で移動可能なサムアセンブリ（28）を有し、
前記ロック部材（30）がロック位置（32）とアンロック位置（34）との間で移動可能であるように、前記カートリッジピッカーアセンブリ（12）に取付けられたロック部材（30）と、前記サムアセンブリ（28）が後退位置（50）に移動すると、前記ロック部材（30）がアンロック位置（32）に移動するように、前記サムアセンブリ（28）が後退位置（50）に向かって移動すると前記サムアセンブリ（28）が前記ロック部材（30）と係合し、
前記フレーム（38）に設けられたみぞ穴（36）と、該みぞ穴（36）が、前記カートリッジピッカーアセンブリ（12）が収容位置（52）に位置する時、及び前記ロック部材（30）がロック位置（32）に配置されている時に、前記ロック部材（30）に係合するように寸法が決められていることを特徴とする輸送ロック装置。
【００５８】
９．移動可能なキャリッジ（12）をフレーム（38）に固定するための方法であって、
前記移動可能なキャリッジ（12）に、ロック位置（32）とアンロック位置（34）との間で移動することができるロック部材（30）を設けるステップと、
前記フレーム（38）に、前記ロック部材（30）がロック位置（32）にある時に、前記ロック部材（30）に係合するみぞ穴（36）を設けるステップと、
前記移動可能なキャリッジ（12）を、前記フレーム（38）に隣接した収容位置（52）に移動させるステップと、
前記ロック部材（30）が前記みぞ穴（36）に係合するように、前記ロック部材（30）をロック位置（32）に移動させるステップと
からなる方法。
【００５９】
１０．前記移動可能なキャリッジ（12）を前記フレーム（38）に隣接した収容位置（52）に移動させる前に、前記ロック部材（30）をアンロック位置（34）に移動させるステップをさらに含む、９項記載の方法。
【００６０】
【発明の効果】
フレーム（38）に移動可能カートリッジピッカーアセンブリ（12）を固定するための輸送ロック装置（10）は、ロック部材（30）がロック位置（32）とアンロック位置（34）との間を移動可能なように、カートリッジピッカーアセンブリ（12）に取り付けられたロック部材（30）からなる。カートリッジピッカー（12）内に設けられたサムアセンブリ（28）は、サムアセンブリ（28）が後退位置（50）に移動した際に、ロック部材（30）と接触し、それによってロック部材（30）は、サムアセンブリ（28）が後退位置（50）に達すると、アンロック位置（32）へ移動する。フレーム（38）に設けられたみぞ穴（36）は、カートリッジピッカーアセンブリ（12）が収容位置（52）に配置される際、及びロック部材（30）がロック位置（32）に位置する際に、ロック部材（30）に係合するように寸法決めされる。このような構成であることにより、データ格納システムの搬送又は輸送中に、移動可能カートリッジピッカーアセンブリが過度に移動することが排除される。すなわち輸送又は搬送中に可動部品が過度に移動することによる、システムの精密な位置合せが狂う可能性が排除される。
【図面の簡単な説明】
【図１】本発明による輸送ロック装置を利用したデータ格納システムの平面図である。
【図２】フレーム構造及びカートリッジ係合アセンブリの斜視図であり、カートリッジ係合アセンブリが収容位置にある状態を示している。
【図３】図２に示すフレーム構造の拡大斜視図であり、ロック部材がシャシのみぞ穴に係合している状態を示している。
【図４】カートリッジ係合アセンブリの斜視図である。
【図５】カートリッジ係合アセンブリの左側の斜視図であり、カートリッジプランジ機構を示している。
【図６】カートリッジ係合アセンブリの右側の斜視図であり、カートリッジプランジ機構を示している。
【図７】ロック部材の拡大斜視図である。
【図８】カートリッジ係合アセンブリ及びロック部材の斜視図である。
【図９】カートリッジ係合アセンブリ及びロック部材の拡大斜視図である。
【図１０】カートリッジ係合アセンブリの側面図であり、カートリッジプランジ機構が後退位置にある状態を示す図である。
【図１１】カートリッジ係合アセンブリの側面図であり、カートリッジプランジ機構が前進位置にある状態を示す図である。
【符号の説明】
１０…輸送ロック装置
１２…カートリッジ係合アセンブリ
２８…カートリッジプランジ機構
３０…ロック部材
３２…ロック位置
３４…アンロック位置
３６…Ｔ字形みぞ穴
３８…フレームアセンブリ
４６…拡大ヘッド
５０…後退位置
５１…摺動部
５２…収容位置
５３…ピン部
６７…バイアス部材
７５…前進位置
８１…脚部
【図１】
0004049496.tif 000002
【図２】
0004049496.tif 000003
【図３】
0004049496.tif 000004
【図４】
0004049496.tif 000005
【図５】
0004049496.tif 000006
【図６】
0004049496.tif 000007
【図７】
0004049496.tif 000008
【図８】
0004049496.tif 000009
【図９】
0004049496.tif 000010
【図１０】
0004049496.tif 000011
【図１１】
0004049496.tif 000012